(57)【要約】【課題】室内を冷暖房できる空気調和の機能がついた換気装置において、小型で低消費電力にすることができることを目的とする。【解決手段】冷暖房を行うための熱交換器１と循環用ファン２とを備え、室内空気を冷暖房するとともに、熱交換素子３と給気、排気をそれぞれ行うファン４，５とを備え、室内空気を熱交換して換気する換気機能とを備えた装置６において、循環用ファン２と給気用ファン４、排気用ファン５とを一つのモータ７の同軸に配置したものであり、小型で低消費電力である空気調和機能付換気装置ができる。【選択図】図１
2006292325.tif 000002
【特許請求の範囲】
【請求項１】
冷暖房を行うための熱交換器と循環用ファンとを備え、室内空気を冷暖房するとともに、熱交換素子と給気，排気をそれぞれ行うファンとを備え、室内空気を熱交換して換気する換気機能とを備えた装置において、循環用ファンと給気ファン、排気ファンとを一つのモータの同軸に配置したことを特徴とする空気調和機能付換気装置。
【請求項２】
循環用ファンを環流ファンにしたことを特徴とする請求項１記載の空気調和機能付換気装置。
【請求項３】
給気ファン、排気ファン、循環用ファンの風路をそれぞれ独立に設けたことを特徴とする請求項１記載の空気調和機能付換気装置。
【請求項４】
給気ファンあるいは排気ファンの吸込口の中にモータカバーが入り込んだことを特徴とする請求項１記載の空気調和機能付換気装置。
【請求項５】
外枠に設けられた外気への吐出口と室内への給気口を本体の横方向の両端に設けたことを特徴とする請求項１記載の空気調和機能付換気装置。
【請求項６】
モータを直流駆動にしたことを特徴とする請求項１記載の空気調和機能付換気装置。
【発明の詳細な説明】
【技術分野】
【０００１】
本発明は、住宅などの室内壁面に備え付けられる空気調和機能付換気装置に関するものである。
【背景技術】
【０００２】
従来、このような空気調和機能付換気装置は住宅などの天井裏に備え付けられ、特許文献１に記載されたものが知られている。
【０００３】
以下、その住宅などの天井裏に備え付けられる空気調和機能付換気装置について図２を参照しながら説明する。
【０００４】
図に示すように、図２において、本体１０１に外気取入口１０２と、室内空気の排気口１０３と、各室から戻る還気口１０４および１０５と、空調された空気を各室に送り出す給気口１０６，１０７，１０８と、また、室内空気を排気する室内排気口１０９とを備えている。前記本体１０１の内部には、前記室内排気口１０９より各室内から戻る室内空気が流入し、排気ファン１１０を経て全熱交換器１１１の一稜面を通って排気口１０３より排気する排気流路１１２と、外気取入口１０２より新鮮空気を取り入れ、吸気ファン１１３を経て前記全熱交換器１１１の他の稜面を通って給気連通口１１４に至る吸気流路１１５とを備えている。一方、換気室１１６に隣接する空調室１１７には空調用送風機１１８と温水又は冷水、あるいは冷媒等媒体を通す熱交換器１１９が前記各給気口１０６，１０７，１０８に対して設けられている。このようにして室内排気口１０９から排気ファン１１０を介して換気流路１１２により排気され、また、外気取入口１０２より吸気ファン１１３を経て吸気流路１１５を形成して換気し、一方では各還気口１０５，１０５より還気された室内空気と、外気取入口１０２より前記吸気ファン１１３を介して取り入れられ全熱交換器１１１により熱交換され熱回収された新鮮空気とを、空調用送風機１１８により前記熱交換器１１９を通って加熱又は冷却された空気が各給気口１０６，１０７，１０８より各室へ給気するというものであった。
【特許文献１】特開平４−２３６０２８号公報
【発明の開示】
【発明が解決しようとする課題】
【０００５】
このような従来の空気調和機能付換気装置では、給気ファン、排気ファンおよび空調用送風機がそれぞれ独立した構成としているため大型で高消費電力になるとともに、室内壁面に取付けると、大きすぎるという課題があり、小型で低消費電力にすることができることが要求されている。
【０００６】
また、このような従来の空気調和機能付換気装置では、室内に給気される空気が遠心ファンである吸気ファンからの空気と室内空気との混合が遠心ファンである空調用ファンから供給されるため給気が不安定で装置が大型になるという課題があり、室内に安定的に給気でき装置を小型化することができることが要求されている。
【０００７】
また、このような従来の空気調和機能付換気装置では、室内に給気される空気が吸気ファンからの空気と室内空気との混合が空調用ファンから供給されるため給気が不安定になるという課題があり、室内に安定的に給気することができることが要求されている。
【０００８】
また、このような従来の空気調和機能付換気装置では、ファンを駆動させるモータの温度が上昇し性能が低下するという課題があり、モータの温度の上昇を防ぎ性能が低下しないことができることが要求されている。
【０００９】
また、このような従来の空気調和機能付換気装置では、外気と室内気が全熱交換器で交差して熱交換しているが熱交換効率が低いという課題があり、外気と室内気の熱交換効率を向上することができることが要求されている。
【００１０】
また、このような従来の空気調和機能付換気装置では、ファンを駆動させるモータが高消費電力であるという課題があり、モータを低消費電力にすることができることが要求されている。
【００１１】
本発明は、このような従来の課題を解決するものであり、小型で低消費電力にすることができるとともに、室内壁面取付に適した薄型の空気調和機能付換気装置を提供することを目的としている。
【００１２】
また本発明は、室内に安定的に給気でき装置を小型化することができる空気調和機能付換気装置を提供することを目的としている。
【００１３】
また本発明は、室内に安定的に給気することができる空気調和機能付換気装置を提供することを目的としている。
【００１４】
また本発明は、モータの温度の上昇を防ぎ性能が低下しないことができる空気調和機能付換気装置を提供することを目的としている。
【００１５】
また本発明は、外気と室内気の熱交換効率を向上することができる空気調和機能付換気装置を提供することを目的としている。
【００１６】
また本発明は、モータを低消費電力にすることができる空気調和機能付換気装置を提供することを目的としている。
【課題を解決するための手段】
【００１７】
本発明の空気調和機能付換気装置は上記目的を達成するために、冷暖房を行うための熱交換器と循環用ファンとを備え、室内空気を冷暖房するとともに、熱交換素子と給気、排気をそれぞれ行うファンとを備え、室内空気を熱交換して換気する換気機能とを備えた装置において、循環用ファンと給気ファン、排気ファンとを一つのモータの同軸に配置したこととしたものである。
【００１８】
この手段により、小型で低消費電力にすることができる空気調和機能付換気装置が得られる。
【００１９】
また他の手段は、循環用ファンを環流ファンにしたこととしたものである。
【００２０】
この手段により、室内に安定的に給気でき装置を小型化することができる空気調和機能付換気装置が得られる。
【００２１】
また他の手段は、給気ファン、排気ファン、循環用ファンの風路をそれぞれ独立に設けることとしたものである。
【００２２】
この手段により、室内に安定的に給気することができる空気調和機能付換気装置が得られる。
【００２３】
また他の手段は、給気ファンあるいは排気ファンの吸込口の中にモータカバーが入り込んだこととしたものである。
【００２４】
この手段により、モータの温度の上昇を防ぎ性能が低下しないことができる空気調和機能付換気装置が得られる。
【００２５】
また他の手段は、外枠に設けられた外気への吐出口と室内への給気口を本体の横方向の両端に設けることとしたものである。
【００２６】
この手段により、外気と室内気の熱交換効率を向上することができる空気調和機能付換気装置が得られる。
【００２７】
また他の手段は、モータを直流駆動にしたこととしたものである。
【００２８】
この手段により、モータを低消費電力にすることができる空気調和機能付換気装置が得られる。
【発明の効果】
【００２９】
本発明によれば小型で低消費電力にすることができる効果があるとともに、室内壁面取付に適した薄型の空気調和機能付換気装置を提供できる。
【００３０】
また、本発明によれば室内に安定的に給気でき装置を小型化することができる効果のある空気調和機能付換気装置を提供できる。
【００３１】
また、本発明によれば室内に安定的に給気することができる効果のある空気調和機能付換気装置を提供できる。
【００３２】
また、本発明によればモータの温度の上昇を防ぎ性能が低下しないことができる効果のある空気調和機能付換気装置を提供できる。
【００３３】
また、本発明によれば外気と室内気の熱交換効率を向上することができる効果のある空気調和機能付換気装置を提供できる。
【００３４】
また、本発明によればモータを低消費電力にすることができる効果のある空気調和機能付換気装置を提供できる。
【発明を実施するための最良の形態】
【００３５】
本発明の請求項１記載の発明は、冷暖房を行うための熱交換器と循環用ファンとを備え、室内空気を冷暖房するとともに、熱交換素子と給気，排気をそれぞれ行うファンとを備え、室内空気を熱交換して換気する換気機能とを備えた装置において、循環用ファンと給気ファン、排気ファンとを一つのモータの同軸に配置したこととしたものであり、小型で低消費電力にすることができるとともに、室内壁面取付に適した薄型化が図れるという作用を有する。
【００３６】
また本発明の請求項２記載の発明は、循環用ファンを環流ファンにしたこととしたものであり、室内に安定的に給気でき装置を小型化することができるという作用を有する。
【００３７】
また本発明の請求項３記載の発明は、給気ファン、排気ファン、循環用ファンの風路をそれぞれ独立に設けることとしたものであり、室内に安定的に給気することができるという作用を有する。
【００３８】
また本発明の請求項４記載の発明は、給気ファンあるいは排気ファンの吸込口の中にモータカバーが入り込んだこととしたものであり、モータの温度の上昇を防ぎ性能が低下しないことができるという作用を有する。
【００３９】
また本発明の請求項５記載の発明は、外枠に設けられた外気への吐出口と室内への給気口を本体の横方向の両端に設けることとしたものであり、外気と室内気の熱交換効率を向上することができるという作用を有する。
【００４０】
また本発明の請求項６記載の発明は、モータを直流駆動にしたこととしたものであり、モータを低消費電力にすることができるという作用を有する。
【００４１】
以下、本発明の実施の形態について図面を参照しながら説明する。
【００４２】
（実施の形態１）
図１に示すように、冷暖房を行うための熱交換器１と循環用ファン２とを備え、室内空気を冷暖房するとともに、熱交換素子３と給気用ファン４、排気用ファン５をそれぞれ備え、室内空気を熱交換して換気する換気機能とを備えた装置６において、循環用ファン２と給気用４ファン、排気用ファン５とを一つのモータ７の同軸に配置する。また、前記循環用ファン２を環流ファンとする。また、前記給気用ファン４、前記排気用ファン５、前記循環用ファン２の風路８をそれぞれ独立に設ける。また、前記給気用ファン４あるいは排気用ファン５の吸込口の中にモータカバー１０が入り込むようにする。また、外枠１１に設けられた外気への吐出口１２と外気取り入れ用の外気吸込口１３を本体１４の横方向の両端に設ける。また、前記モータ７は直流駆動にする。上記のように構成されている。
【００４３】
上記構成において、一つのモータ７で、循環用ファン２を駆動して室内の空気を吸引し熱交換器１で冷暖房して室内へ戻し、給気用ファン４を駆動して外気吸込口１３より外気を吸引し熱交換素子３を通して室内から排出される空気と熱交換した後室内へ給気し、排気用ファン５を駆動して室内の空気を室内空気吸込口９から吸入し熱交換素子３を通して室内に吸引される外気と熱交換し吐出口１２から室外へ排気する。以上３構成のファンを一度に駆動させることができるので、それぞれ独立した場合に比べ給気用あるいは排気用と循環用のモータが不要となり、その分装置６を小型にでき、また、モータにかかる消費電力も少なくすることができる。また、冷暖房用のファンは静圧が特に必要ないので前記循環用ファン２を環流ファンにできるので、従来のようなシロッコファンと比べ、均一に熱交換器１を通して室内へ冷暖房した空気を供給することができ、また、小型、低消費電力することができるようになる。また、室内の空気を室外へ、室外の空気を室内へという風路８と空調用の風路８がそれぞれ別々のファンで行っているので、換気能力不足とか空調不足とがない。また、モータ７に室内からの空気あるいは室外からの空気が接触するようになっているので、モータ７の温度上昇を防ぐことができ安定的に性能を発揮することができる。また、室外から室内および室内から室外へ流れる空気が、熱交換素子３に平行に流れるので、接触時間が長くなり、結果熱交換効率が向上することができる。また、モータが直流駆動としているので、消費電力を低く抑えることができる。
【産業上の利用可能性】
【００４４】
本発明にかかる空気調和機能付換気装置は、小型で低消費電力にすることができ、また、室内に安定的に給気でき装置を小型化することができ、また、室内に安定的に給気することができ、また、モータの温度の上昇を防ぎ性能が低下しないことができ、また、外気と室内気の熱交換効率を向上することができ、また、モータを低消費電力にすることができることを有し、住宅などの室内壁面に備え付けられる空気調和機能付換気装置として有用である。
【図面の簡単な説明】
【００４５】
【図１】本発明の実施の形態１の空気調和機能付換気装置の構成の断面図
【図２】従来の空気調和機能付換気装置の構成の断面図
【符号の説明】
【００４６】
１    熱交換器
２    循環用ファン
３    熱交換素子
４    給気用ファン
５    排気用ファン
６    装置
７    モータ
８    風路
９    室内空気吸込口
１０  モータカバー
１１  外枠
１２  吐出口
１３  外気吸込口
１４  本体
１０１  本体
１０２  外気取入口
１０３  排気口
１０４  還気口
１０５  還気口
１０６  給気口
１０７  給気口
１０８  給気口
１０９  室内排気口
１１０  排気ファン
１１１  全熱交換器
１１２  排気流路
１１３  吸気ファン
１１４  給気連通口
１１５  給気流路
１１６  換気室
１１７  空調室
１１８  空調用送風機
１１９  熱交換器
【図１】
2006292325.tif 000003
【図２】
2006292325.tif 000004